(57)【要約】【課題】  ピアツーピア通信により複数のユーザが協同で作成したアルバムを容易に製本依頼できるようにする。【解決手段】  ネットワークに接続された複数のユーザピアＡ，Ｂがピアツーピア通信により画像データを授受して共有アルバムを作成すると共に前記ネットワークには前記共有アルバムの製本サービスの依頼を受けるアルバムピア４が接続される。好適には、アルバムピア４は、共有アルバムが作成されているときに該共有アルバムに登録された画像データを該画像データの保持先のユーザピアＡ，Ｂに要求して自身の記憶装置に保存する。【選択図】  図２
2005208912.tif 000002
【特許請求の範囲】
【請求項１】
ネットワークに接続された複数のユーザピアがピアツーピア通信により画像データを授受して共有アルバムを作成すると共に前記ネットワークには前記共有アルバムの製本サービスの依頼を受けるアルバムピアが接続されていることを特徴とするアルバム製本サービス実施システム。
【請求項２】
前記アルバムピアは、前記共有アルバムが作成されているときに該共有アルバムに登録された画像データを該画像データの保持先のユーザピアに要求して自身の記憶装置に保存しておく機能を有することを特徴とする請求項１に記載のアルバム製本サービス実施システム。
【請求項３】
前記アルバムピアは、製本依頼のあった前記共有アルバムに登録されている画像データを該画像データの保存先である前記ユーザピアに要求し、該ユーザピアから前記画像データを受け取ることができないとき前記記憶装置内に保存されている前記画像データを用いて製本サービスを実施することを特徴とする請求項１または請求項２に記載のアルバム製本サービス実施システム。
【請求項４】
前記共有アルバムの作成に際して該共有アルバムへのアクセス権を示すグループキーが作成される場合には前記アルバムピアは前記グループキーの提供を受けて前記共有アルバムへのアクセスを行うことを特徴とする請求項１乃至請求項３のいずれかに記載のアルバム製本サービス実施システム。
【請求項５】
前記アルバムピアは、前記共有アルバムに登録されている画像データにタイトルデータおよび／またはコメントデータが付加されているとき該タイトルデータおよび／またはコメントデータを該画像データに付加して製本サービスを実施することを特徴とする請求項１乃至請求項４のいずれかに記載のアルバム製本サービス実施システム。
【請求項６】
ネットワークに接続された複数のユーザピアがピアツーピア通信により画像データを授受して共有アルバムを作成すると共に前記ネットワークに接続されたアルバムピアが前記共有アルバムの製本サービスの依頼を受けることを特徴とするアルバム製本サービス実施方法。
【請求項７】
前記アルバムピアは、前記共有アルバムが作成されているときに該共有アルバムに登録された画像データを該画像データの保持先のユーザピアに要求して自身の記憶装置に保存しておくことを特徴とする請求項６に記載のアルバム製本サービス実施方法。
【請求項８】
前記アルバムピアは、製本依頼のあった前記共有アルバムに登録されている画像データを該画像データの保存先である前記ユーザピアに要求し、該ユーザピアから前記画像データを受け取ることができないとき前記記憶装置内に保存されている前記画像データを用いて製本サービスを実施することを特徴とする請求項６または請求項７に記載のアルバム製本サービス実施方法。
【請求項９】
前記共有アルバムの作成に際して該共有アルバムへのアクセス権を示すグループキーが作成される場合には前記アルバムピアは前記グループキーの提供を受けて前記共有アルバムへのアクセスを行うことを特徴とする請求項６乃至請求項８のいずれかに記載のアルバム製本サービス実施方法。
【請求項１０】
前記アルバムピアは、前記共有アルバムに登録されている画像データにタイトルデータおよび／またはコメントデータが付加されているとき該タイトルデータおよび／またはコメントデータを該画像データに付加して製本サービスを実施することを特徴とする請求項６乃至請求項９のいずれかに記載のアルバム製本サービス実施方法。
【請求項１１】
ネットワークに接続されるユーザピアまたはアルバムピアにインストールされ請求項６乃至請求項１０のいずれかに記載されたアルバム製本サービス実施方法を実行させることを特徴とする共有アルバム作成用プログラム。
【発明の詳細な説明】
【技術分野】
【０００１】
本発明は、ネットワークに接続された複数のユーザが共有アルバムを作成したときにアルバム製本サービスを実施するシステム等に係り、特に、ビアツーピア通信技術を利用して作成された共有アルバムを製本サービスするアルバム製本サービス実施システム及びアルバム製本サービス実施方法並びにアルバム製本サービス実施用プログラムに関する。
【背景技術】
【０００２】
下記特許文献１に記載されている様なピアツーピア通信技術が普及してきている。このピアツーピア通信技術では、インターネット等の広域ネットワークに接続された多数のコンピュータのうちピアツーピア通信用ソフトウェアを搭載したコンピュータ同士がグループを形成し、グループに参加している各コンピュータ内に保存されているコンテンツをグループに参加している各コンピュータが共有する様になっている。これにより、あるユーザは、自身のコンピュータから他人のコンピュータ内の記憶メディアにアクセスし、そこに保存されている画像データ等を閲覧することができる。
【０００３】
このピアツーピア通信技術を利用することで、共有アルバムを作成することができる。例えば、北海道旅行に参加したＡさん，Ｂさん，Ｃさんが夫々デジタルカメラで多数の写真を撮影し、後日、北海道旅行のアルバムを作成しようとした場合、各人が距離的に離れた場所に住んでいて一堂に会することができないときは、ネット上で画像データを授受し、アルバム作成の相談をすることになる。
【０００４】
【特許文献１】特開２００２―５７７０１号公報
【発明の開示】
【発明が解決しようとする課題】
【０００５】
しかしながら、ネットワーク上で作成されたアルバムをサービス店に製本依頼する場合、従来はそのアルバムデータをＣＤ―Ｒ等の記憶メディアに記録してサービス店に出向く必要があり、面倒であるという問題がある。
【０００６】
また、アルバムがピアツーピア通信技術の基で作成されているため、アルバムに登録されている画像データを保持している利用者端末が電源ＯＮ状態となってネットワークに接続されていないと、その利用者端末に保存されている画像データを収集することができず、アルバム内に画像抜けが生じてしまうという問題がある。
【０００７】
本発明の目的は、ネットワーク上で複数のユーザがピアツーピア通信技術により作成したアルバムの製本サービスを良好に実施することができるアルバム製本サービス実施システム及びアルバム製本サービス実施方法並びにアルバム製本サービス実施用プログラムを提供することにある。
【課題を解決するための手段】
【０００８】
本発明のアルバム製本サービス実施システムは、ネットワークに接続された複数のユーザピアがピアツーピア通信により画像データを授受して共有アルバムを作成すると共に前記ネットワークには前記共有アルバムの製本サービスの依頼を受けるアルバムピアが接続されていることを特徴とする。
【０００９】
この構成により、アルバム製本サービス実施システムの参加者は、オンラインでアルバムの製本や追加を発注することができるため、アルバムデータを記憶メディアの記録してサービス店に持ち込む必要がなくなる。
【００１０】
本発明のアルバム製本サービス実施システムの前記アルバムピアは、前記共有アルバムが作成されているときに該共有アルバムに登録された画像データを該画像データの保持先のユーザピアに要求して自身の記憶装置に保存しておく機能を有することを特徴とする。
【００１１】
この構成により、アルバムピアは、依頼を受けた共有アルバムの製本サービスを画像抜け無く実施することが可能となる。
【００１２】
本発明のアルバム製本サービス実施システムの前記アルバムピアは、製本依頼のあった前記共有アルバムに登録されている画像データを該画像データの保存先である前記ユーザピアに要求し、該ユーザピアから前記画像データを受け取ることができないとき前記記憶装置内に保存されている前記画像データを用いて製本サービスを実施することを特徴とする。
【００１３】
この構成により、画像データとして元データすなわちユーザピアが保持している画像データを優先して製本サービスを実施することができる。
【００１４】
本発明のアルバム製本サービス実施システムでは、前記共有アルバムの作成に際して該共有アルバムへのアクセス権を示すグループキーが作成される場合には前記アルバムピアは前記グループキーの提供を受けて前記共有アルバムへのアクセスを行うことを特徴とする。
【００１５】
この構成により、グループキーを用いて複数のアルバムの参加者を区分けした場合でも、容易にアルバムの製本が可能となる。
【００１６】
本発明のアルバム製本サービス実施システムの前記アルバムピアは、前記共有アルバムに登録されている画像データにタイトルデータおよび／またはコメントデータが付加されているとき該タイトルデータおよび／またはコメントデータを該画像データに付加して製本サービスを実施することを特徴とする。
【００１７】
この構成により、画像データにタイトルやコメントが付加されて製本されるため、アルバムの価値が高くなる。
【００１８】
本発明のアルバム製本サービス実施方法は、ネットワークに接続された複数のユーザピアがピアツーピア通信により画像データを授受して共有アルバムを作成すると共に前記ネットワークに接続されたアルバムピアが前記共有アルバムの製本サービスの依頼を受けることを特徴とする。
【００１９】
この構成により、アルバム製本サービス実施システムの参加者は、オンラインでアルバムの製本や追加を発注することができるため、アルバムデータを記憶メディアの記録してサービス店に持ち込む必要がなくなる。
【００２０】
本発明のアルバム製本サービス実施方法の前記アルバムピアは、前記共有アルバムが作成されているときに該共有アルバムに登録された画像データを該画像データの保持先のユーザピアに要求して自身の記憶装置に保存しておくことを特徴とする。
【００２１】
この構成により、アルバムピアは、依頼を受けた共有アルバムの製本サービスを画像抜け無く実施することが可能となる。
【００２２】
本発明のアルバム製本サービス実施方法の前記アルバムピアは、製本依頼のあった前記共有アルバムに登録されている画像データを該画像データの保存先である前記ユーザピアに要求し、該ユーザピアから前記画像データを受け取ることができないとき前記記憶装置内に保存されている前記画像データを用いて製本サービスを実施することを特徴とする。
【００２３】
この構成により、画像データとして元データすなわちユーザピアが保持している画像データを優先して製本サービスを実施することができる。
【００２４】
本発明のアルバム製本サービス実施方法では、前記共有アルバムの作成に際して該共有アルバムへのアクセス権を示すグループキーが作成される場合には前記アルバムピアは前記グループキーの提供を受けて前記共有アルバムへのアクセスを行うことを特徴とする。
【００２５】
この構成により、グループキーを用いて複数のアルバムの参加者を区分けした場合でも、容易にアルバムの製本が可能となる。
【００２６】
本発明のアルバム製本サービス実施方法の前記アルバムピアは、前記共有アルバムに登録されている画像データにタイトルデータおよび／またはコメントデータが付加されているとき該タイトルデータおよび／またはコメントデータを該画像データに付加して製本サービスを実施することを特徴とする。
【００２７】
この構成により、画像データにタイトルやコメントが付加されて製本されるため、アルバムの価値が高くなる。
【００２８】
本発明のアルバム製本サービス実施用プログラムは、ネットワークに接続されるユーザピアまたはアルバムピアにインストールされ上記のいずれかに記載されたアルバム製本サービス実施方法を実行させることを特徴とする。
【００２９】
このアルバム製本サービス実施用プログラムをインストールすることで、ネットワークに接続されるいずれのコンピュータでも画像抜けの無いアルバム製本を容易にサービス店等に依頼することができる。
【発明の効果】
【００３０】
本発明によれば、オンラインでアルバムピアにアルバムの製本依頼ができるため、気軽に製本を発注することが可能となる。
【発明を実施するための最良の形態】
【００３１】
以下、本発明の一実施形態について、図面を参照して説明する。
【００３２】
図１は、本発明の一実施形態に係るピアツーピア通信技術を利用したアルバム製本サービス実施システムの構成図である。このアルバム製本サービス実施システムは、ネットワーク１に接続されたセンターサーバ２と、ネットワーク１に接続された利用者端末であるパーソナルコンピュータ（ユーザピア：Ｐｅｅｒ）３ａ，３ｂ，３ｃ，３ｄ…（この例では４台を図示）と、アルバムサービス提供用のアルバムピア４とが接続されている。アルバムピア４は、アルバム製本サービス店等に設置されており、ユーザピア３ａ，…等によって作成された共有アルバムの画像データをアルバム作成中にキャッシュする等して収集する機能を有する。
【００３３】
斯かるアルバム製本サービス実施システムは、センターサーバ２を設備したシステム提供者が配布する共有アルバム作成用及び製本サービス実施用プログラムを各ユーザピア３ａ，３ｂ，…，アルバムピア４にインストールし起動することで、構成される。
【００３４】
図２は、パーソナルコンピュータ３ａ（以下、ユーザピアＡという。）の利用者と、パーソナルコンピュータ３ｂ（以下、ユーザピアＢという。）の利用者とが、夫々の画像データを持ち寄って共有アルバムを作成し、共有アルバムの製本をアルバムピア４に依頼するまでの処理手順を示すシーケンス図である。
【００３５】
先ず、ユーザピアＡ，ユーザピアＢ，アルバムピア４がセンターサーバ２に対して共有アルバム作成システムの構成員であることを登録しておく。
【００３６】
ユーザピアＢのユーザがこの共有アルバム作成システムのネットワーク１にログインすると、ユーザピアＢのモニタには、先ず、図３に示す起動画面が表示される。この起動画面にて、ユーザピアＢのユーザはメニューの選択を行う。ここで、アルバムの新規作成を選択し、そのアルバム名、例えば「北海道旅行」を入力すると、「北海道旅行」のサブフォルダがユーザピアＢ内に作成されると共に、「北海道旅行」に対するグループキーが生成される。このグループキーはアルバムピア４に提供され、アルバムピア４は、新規アルバム「北海道旅行」に対するアクセス権を取得する。
【００３７】
ユーザピアＢのユーザが新規アルバム「北海道旅行」をユーザピアＡのユーザと協同で作成する場合には、このグループキーをユーザピアＡに対して電子メール等で通知する。これにより、ユーザピアＡのユーザがこのグループキーを用いて新規アルバム「北海道旅行」にアクセス可能となる。
【００３８】
ユーザピアＢのユーザが新規アルバム「北海道旅行」を作成すると、ユーザピアＢのモニタ画面はアルバム編集画面に移行する。ユーザピアＢのユーザは、この編集画面において、ユーザピアＢの記憶装置に保持されている画像データのうちアルバムに入れたい画像データを選択し、夫々の画像データにタイトルを付けると共に、コメントを付加することができる。
【００３９】
図４は、編集中のアルバム「北海道旅行」のリストビュー画面を示す図である。この画面において、アルバムに入れられた「００１．ｊｐｇ」「００２．ｊｐｇ」「００３．ｊｐｇ」の３枚の画像データのアイコン化した画像と、夫々のタイトル「森の中」「ひまわり」「富士の山」と、夫々のコメント「幻想的な風景でした。」「…」「…」がリストで表示される。
【００４０】
尚、この図４の画面には、既に作成済みのアルバム名の各フォルダが画面の左側にツリー表示されると共に、画面の左下には、選択されているアルバム名に参加しているメンバーの名前が表示される。このメンバー名は、現在ログインしているメンバー名とログオフしているメンバー名とが色分け表示される。
【００４１】
上記の様にアルバム編集が行われた場合には、「００１．ｊｐｇ」「００２．ｊｐｇ」「００３．ｊｐｇ」の夫々のこのネットワーク内におけるファイルパスと、夫々のタイトルと、夫々のコメントとが、ユーザピアＢからアルバムピア４に送信され、アルバムピア４はこれらの情報を自身の記憶装置内に登録し保持する。
【００４２】
その後、アルバムピア４は、ユーザピアＢに対して「００１．ｊｐｇ」「００２．ｊｐｇ」「００３．ｊｐｇ」の３枚の画像データを要求し、ユーザピアＢは、これらの画像データをアルバムピア４に送信すると、アルバムピア４は、これら３枚の画像データをキャッシュデータとして自身の記憶装置内に保持する。
【００４３】
ユーザピアＢのユーザによる「北海道旅行」のアルバム編集が終了した後に、ユーザピアＡのユーザがアルバム「北海道旅行」を閲覧するためにログインすると、ユーザピアＡはアルバムピア４に対してアルバム「北海道旅行」を要求する。これにより、アルバムピア４はユーザピアＡに対して「００１．ｊｐｇ」「００２．ｊｐｇ」「００３．ｊｐｇ」の画像データのネットワーク内における夫々のファイルパスと、夫々のタイトルと夫々のコメントを送付する。これにより、ユーザピアＡは、各画像データのネットワーク内におけるファイルパスに基づき、各画像データをユーザピアＢに対して要求する。
【００４４】
この要求を受けたユーザピアＢが画像データをユーザピアＡに送付すると、ユーザピアＡのモニタには、図４に示す様なリストビューが表示される。尚、この場合の図４の左側のアルバム名のフォルダは、ユーザピアＡのユーザが参加しているアルバム名のフォルダとなる。ユーザピアＡのユーザが大きな画像を見たい場合には、各画像のアイコン化されている画像をクリックすれば良い。
【００４５】
ユーザピアＡがユーザピアＢに画像データの送付を要求したときに、ユーザピアＢの電源がＯＦＦとなっていた場合には、ユーザピアＡは画像データの送付をアルバムピア４に要求し、アルバムピア４はキャッシュデータとして保持している画像データをユーザピアＡに対して送付する。
【００４６】
ユーザピアＡのユーザが「北海道旅行」のアルバムに自身が保持する四番目の画像データ「００４．ｊｐｇ」を追加し、そのタイトルとコメントを入力した場合には、この画像データのネットワーク内におけるファイルパスとタイトルとコメントとがアルバムピア４に送出され、アルバムピアに登録される。その後、アルバムピアは四番目の画像データをユーザピアＡに要求し、ユーザピアＡは「００４．ｊｐｇ」の画像データをアルバムピア４に送信する。これにより、アルバムピア４は、「００４．ｊｐｇ」の画像データをキャッシュデータとして保持する。
【００４７】
画像データの追加，削除，順序入れ替え等のアルバム編集後にユーザピアＢがアルバムピアに対してアルバムの製本を注文した場合には、アルバムピアはユーザピアＢに対して注文受付を確認した後、アルバムに登録されている画像データを、ネットワーク内における夫々のファイルパスに基づいて各ユーザピアＡ，Ｂから収集し、画像データを印刷してアルバムを製本することになる。このとき、ユーザピアＡ，Ｂのいずれかの電源がＯＦＦとなっているため画像データを収集できない場合には、アルバムピア４内の記憶装置にキャッシュデータとして保持している画像データを用いてアルバムの製本を行う。
【００４８】
以上述べた実施形態では、ユーザピアＢのユーザがアルバム編集をした後にユーザピアＡのユーザがアルバム閲覧をして画像データを追加する例を説明したが、ユーザピアＡとユーザピアＢとが同時にネットワークに接続している状態であれば、両者間でチャットにより相談しながらアルバム編集を並行して行うことができ、また、ユーザピアＡ，ユーザピアＢに夫々ＰＣカメラや音声入力用マイクロフォンが接続されているのであればテレビ電話機能によりユーザ同士が実際に会話しながらアルバム編集を行うことも可能である。
【００４９】
尚、上述した実施形態では、複数のアルバム毎に異なるグループキーで各アルバムの参加者を区別する例について述べたが、１つのアルバムしかない場合にはグループキーは不要である。
【産業上の利用可能性】
【００５０】
本発明によれば、ピアツーピア通信技術を利用してネットワーク上で複数のユーザが作成した共有アルバムの製本サービスを容易にサービス店等に依頼することができるため、使い勝手の優れたアルバム製本サービス実施システムとして有用である。
【図面の簡単な説明】
【００５１】
【図１】本発明の一実施形態に係るアルバム製本サービス実施システムの構成図である。
【図２】図１に示す各ピア間の処理手順の一例を示すシーケンス図である。
【図３】図１に示す各ピアのモニタに表示される画面例を示す図である。
【図４】図１に示す各ピアのモニタに表示される画面例を示す図である。
【符号の説明】
【００５２】
１  ネットワーク
２  センターサーバ
３ａ，３ｂ，３ｃ，３ｄ，…  ユーザピア
４  アルバムピア
【図１】
2005208912.tif 000003
【図２】
2005208912.tif 000004
【図３】
2005208912.tif 000005
【図４】
2005208912.tif 000006